(57)【要約】【目的】簡易且つ迅速な施工ができ水密性が優れること。【構成】構造材３と、両縦フレーム，横水下フレーム，横水上フレームによる枠体２に，平板状の太陽光発電ユニットＡと、縦樋状部４１の略中央に取付突条部４２が形成された長尺の縦樋材４とを備え、縦フレームには、縦フレーム樋状部２１３ａ，２２３ａが形成されると共に、横水下フレームには中間より外側に水平部２３３ｂが形成され、横水上フレームには横樋状部２４３ｃが形成されること。複数並設された構造材３間に複数の縦樋材４が傾斜方向を向いて固定され、隣接する太陽光発電ユニットの縦フレーム２２，２２相互が縦樋材４に載置固着され縦樋材４の長手方向と同方向には太陽光発電ユニットＡの横水下フレーム及び横水上フレーム相互が対向し、水平部２３３ｂ外端が横水上フレームの中間に当接され、横樋状部２４３ｃ内上に配置され、この長手方向両端は縦樋状部４１内に配置されること。【選択図】      図２
2011003810.tif 000002
【特許請求の範囲】
【請求項１】
構造材としての横梁と、両縦フレーム，横水下フレーム，横水上フレームにて方形枠を形成した枠体に平板状の太陽光発電セルを集合させた太陽光発電アレイが収納された太陽光発電ユニットと、平坦部と立上り部とからなる縦樋状部の略中央に取付突条部が形成された長手方向に長尺の縦樋材とを備え、前記縦フレームの大型Ｌ字形部には、縦フレーム樋状部が形成されると共に、前記横水下フレームには、中間より外側に水平部が形成された大型ト字形部が形成され、前記横水上フレームには大型Ｌ字形部の下部外側に横樋状部が屈曲形成されてなり、複数並設された前記横梁間に、所定間隔をおいて複数の縦樋材が傾斜方向を向いて固定され、該縦樋材に直交する方向に隣接する太陽光発電ユニットの縦フレーム相互が、前記縦樋材の縦樋状部内の取付突条部に載置固着されると共に、前記縦フレーム樋状部の長手方向端が前記縦樋状部内に配置され、前記縦樋材の長手方向と同方向には太陽光発電ユニットの横水下フレーム及び横水上フレーム相互が対向し、前記横水下フレームの水平部外端が、前記横水上フレームの大型Ｌ字形部中間に当接されると共に、前記横水上フレームの横樋状部内上に配置され、該横樋状部の長手方向両端は、前記縦樋状部内に配置されてなることを特徴とする太陽光発電装置。
【請求項２】
請求項１において、前記横水下フレームの大型ト字形部の上端に上部カバー部が形成され、前記横水上フレームの大型Ｌ字形部の上端に前記上部カバー部が重ね固定されてなることを特徴とする太陽光発電装置。
【請求項３】
請求項１において、前記横水下フレームの大型ト字形部の水平部外端より下方に外端垂下縁が形成され、該外端垂下縁が、前記横水上フレームの大型Ｌ字形部に設けられた垂直状部に当接されてなることを特徴とする太陽光発電装置。
【請求項４】
請求項３において、前記横水下フレームの大型ト字形部の垂直状部と、前記横水上フレームの横樋状部端の端部立上り片との間隔を所定間隔としてなることを特徴とする太陽光発電装置。
【請求項５】
請求項１において、前記横水下フレームの下部には、前記水平部の突出方向とは反対側に内側Ｌ形部が形成され、前記横水上フレームの前記横樋状部の突出方向とは反対側に内側Ｌ形部が形成されてなることを特徴とする太陽光発電装置。
【請求項６】
請求項１，２，３，４又は５のいずれか１項において、前記縦樋材の取付突条部は、断面門形状をなすと共に、頂部中央には溝部が形成され、且つ適宜の空隙を有して支持板部が形成されてなり、螺子部の下端に回転片が固着され、ナット及び押え片を有した固定具の回転片が前記溝部を介して支持板部上に挿入して回転固定されて、前記隣接する太陽光発電ユニットの縦フレーム相互が、前記縦樋材の縦樋状部内の取付突条部に載置固着されてなることを特徴とする太陽光発電装置。
【請求項７】
請求項１，２，３，４，５又は６において、前記太陽光発電セルを透明又は半透明状に構成してなることを特徴とする太陽光発電装置。
【請求項８】
請求項２，３，４，５，６又は７において、前記太陽光発電パネルの下側であって、隣接する前記縦樋材のＬ形側部の立上り部間に、透明又は半透明状で平板状の下部側採光板が水密的に取り付けられてなることを特徴とした太陽光発電装置。
【発明の詳細な説明】
【技術分野】
【０００１】
本発明は、簡易な構成で且つ迅速な施工ができると共に、水密性の優れた太陽光発電装置に関する。
【背景技術】
【０００２】
従来より、太陽光発電モジュール体を使用して、構造物の屋根又は壁に設けた太陽光発電装置が存在している。例えば、傾斜した屋根又は壁とした場合に対応できるが、構造が複雑化して、価格的にも高価となる等の欠点があった。また、雨仕舞が良好にできない問題もあった。特に、特許文献１では、明細書の内容では、サッシを設けながら、構造が複雑化するものであった。特許文献２では、サッシに取り付ける構成であるが、具体的な構成としては、屋根の雨仕舞を良好にするための構成が複雑化して極端に問題があった。さらに、特許文献３においては、太陽光発電モジュール体をサッシに取付けながらも、雨仕舞を良好にできにくいと考えられる構成であった。
【特許文献１】特許第２９３９２３８号
【特許文献２】特許第２８５７５８１号
【特許文献３】特開２００１−２９８２０５
【特許文献４】特開２０００−２３４４２５
【特許文献５】特開２００１−６５１１９
【発明の開示】
【発明が解決しようとする課題】
【０００３】
特許文献１乃至３では、何れも構造的には、特に雨仕舞い構造を複雑化しているが、該雨仕舞いが不完全である可能性が大である。特に、特許文献４は、構成がシンプルではあるが、良好なる雨仕舞が期待できない重大な欠点があった。特許文献５では、回転止めが良好に操作できないこともあった。このため、本発明が解決しようとする課題（技術的課題又は目的等）は、簡易で且つ迅速な施工ができると共に、水密性の良好な太陽光発電装置を実現することである。
【課題を解決するための手段】
【０００４】
そこで、発明者は上記課題を解決すべく鋭意，研究を重ねた結果、請求項１の発明を、構造材としての横梁と、両縦フレーム，横水下フレーム，横水上フレームにて方形枠を形成した枠体に平板状の太陽光発電セルを集合させた太陽光発電アレイが収納された太陽光発電ユニットと、平坦部と立上り部とからなる縦樋状部の略中央に取付突条部が形成された長手方向に長尺の縦樋材とを備え、前記縦フレームの大型Ｌ字形部には、縦フレーム樋状部が形成されると共に、前記横水下フレームには、中間より外側に水平部が形成された大型ト字形部が形成され、前記横水上フレームには大型Ｌ字形部の下部外側に横樋状部が屈曲形成されてなり、複数並設された前記横梁間に、所定間隔をおいて複数の縦樋材が傾斜方向を向いて固定され、該縦樋材に直交する方向に隣接する太陽光発電ユニットの縦フレーム相互が、前記縦樋材の縦樋状部内の取付突条部に載置固着されると共に、前記縦フレーム樋状部の長手方向端が前記縦樋状部内に配置され、前記縦樋材の長手方向と同方向には太陽光発電ユニットの横水下フレーム及び横水上フレーム相互が対向し、前記横水下フレームの水平部外端が、前記横水上フレームの大型Ｌ字形部中間に当接されると共に、前記横水上フレームの横樋状部内上に配置され、該横樋状部の長手方向両端は、前記縦樋状部内に配置されてなることを特徴とする太陽光発電装置としたことにより、前記課題を解決した。
【０００５】
請求項２の発明を、請求項１において、前記横水下フレームの大型ト字形部の上端に上部カバー部が形成され、前記横水上フレームの大型Ｌ字形部の上端に前記上部カバー部が重ね固定されてなることを特徴とする太陽光発電装置としたことにより、前記課題を解決した。また、請求項３の発明を、請求項１において、前記横水下フレームの大型ト字形部の水平部外端より下方に外端垂下縁が形成され、該外端垂下縁が、前記横水上フレームの大型Ｌ字形部に設けられた垂直状部に当接されてなることを特徴とする太陽光発電装置としたことにより、前記課題を解決した。
【０００６】
請求項４の発明を、請求項３において、前記横水下フレームの大型ト字形部の垂直状部と、前記横水上フレームの横樋状部端の端部立上り片との間隔を所定間隔としてなることを特徴とする太陽光発電装置としたことにより、前記課題を解決した。請求項５の発明を、請求項１において、前記横水下フレームの下部には、前記水平部の突出方向とは反対側に内側Ｌ形部が形成され、前記横水上フレームの前記横樋状部の突出方向とは反対側に内側Ｌ形部が形成されてなることを特徴とする太陽光発電装置としたことにより、前記課題を解決した。
【０００７】
請求項６の発明を、請求項１，２，３，４又は５のいずれか１項において、前記縦樋材の取付突条部は、断面門形状をなすと共に、頂部中央には溝部が形成され、且つ適宜の空隙を有して支持板部が形成されてなり、螺子部の下端に回転片が固着され、ナット及び押え片を有した固定具の回転片が前記溝部を介して支持板部上に挿入して回転固定されて、前記隣接する太陽光発電ユニットの縦フレーム相互が、前記縦樋材の縦樋状部内の取付突条部に載置固着されてなることを特徴とする太陽光発電装置としたことにより、前記課題を解決した。請求項７の発明を、請求項１，２，３，４，５又は６において、前記太陽光発電セルを透明又は半透明状に構成してなることを特徴とする太陽光発電装置としたことにより、前記課題を解決した。請求項８の発明を、請求項２，３，４，５，６又は７において、前記太陽光発電パネルの下側であって、隣接する前記縦樋材のＬ形側部の立上り部間に、透明又は半透明状で平板状の下部側採光板が水密的に取り付けられてなることを特徴とした太陽光発電装置としたことにより、前記課題を解決したものである。
【発明の効果】
【０００８】
請求項１の発明においては、簡易な構成で且つ迅速な施工ができると共に、水密性の優れた太陽光発電装置を提供できる。特に、本発明では、構造材と太陽光発電ユニットと縦樋材との３部材にて極めて簡易な構造にできる。さらに、太陽光発電ユニットを前記縦樋材上に敷き並べることで極めて簡易且つ迅速に施工できる最大の利点がある。請求項２の発明では、上部カバー部の存在にて雨仕舞いを良好にできる。請求項３の発明では、より一層雨仕舞いを良好にできる。請求項４の発明では、正確なる施工を確実にできる。請求項５の発明においては、さらに確実なる雨仕舞構造にできる。
【０００９】
請求項６の発明では、取付施工が一層迅速且つ確実にできる利点がある。請求項７の発明においては、下部側採光板を設けて二重構造にでき、断熱性能を上昇させうる。特に、上側が太陽光発電ユニットであるため、発電効率をも向上させることができる。請求項７の発明では、太陽光発電パネルが透明又は半透明状であるため、スカイライトとしての機能をも奏する。請求項８の発明においては、発電効率には支障を与えない二重構造にでき、断熱性能を上昇させうる。さらには、請求項７の発明と同様な効果も発揮しうる。
【図面の簡単な説明】
【００１０】
【図１】本発明の太陽光発電装置の一部斜視図である。
【図２】本発明の太陽光発電装置の要部拡大斜視図である。
【図３】（Ａ）は太陽光発電パネルの集合体を屋根として施工した構造物の一部斜視図、（Ｂ）は（Ａ）のジョイナー材を除いた一部略示平面図である。
【図４】図３（Ｂ）のＰ−Ｐ矢視拡大断面図である。
【図５】（Ａ）は固定具にて隣接する太陽光発電パネルを固定せんとする要部状態図、（Ｂ）は固定具にて隣接する太陽光発電パネルを固定する状態の要部断面図、（Ｃ）は固定具の一部斜視図、（Ｄ）乃至（Ｅ）は固定具を取付突条部に取り付ける過程の状態図である。
【図６】（Ａ）は図３（Ｂ）のＱ−Ｑ矢視拡大断面図、（Ｂ）は（Ａ）の要部箇所における雨水の流れ状態の要部拡大斜視図である。
【図７】（Ａ）は太陽光発電ユニットを分解した斜視図、（Ｂ）は太陽光発電ユニット全体の斜視図、（Ｃ）は（Ｂ）の（ア）部拡大斜視図である。
【図８】（Ａ）及び（Ｂ）は縦フレームの断面図、（Ｃ）はジョイナー材の斜視図、（Ｄ）は縦樋材の断面図である。
【図９】（Ａ）は横水下フレームの拡大断面図、（Ｂ）は横水上フレームの拡大断面図、（Ｃ）は横水下フレームと横水上フレームとの結合箇所の要部拡大断面図。
【図１０】（Ａ）は図４とは別の本発明の実施形態の拡大断面図、（Ｂ）及び（Ｃ）は施工途中の状態図、（Ｄ）は別の実施形態のジョイナー材の斜視図である。
【図１１】（Ａ）は図１０とは別の本発明の実施形態の拡大断面図、（Ｂ）及び（Ｃ）は施工途中の状態図である。
【図１２】（Ａ）は図６（Ａ）とは別の本発明の実施形態の断面図、（Ｂ）は（Ａ）の（イ）部拡大断面図、（Ｃ）は（Ｂ）とは別の実施形態の拡大断面図である。
【発明を実施するための形態】
【００１１】
以下、本発明の実施形態について図面に基づいて説明すると、平板状の太陽光発電ユニットＡは、図１及び図９等に示すように、太陽光発電パネル１と枠体２との結合されたものである。前記太陽光発電パネル１は、太陽光発電セル１１ａ，１１ａ，・・・が多数集合されて太陽光発電アレイ１１が構成され、該太陽光発電アレイ１１が複数集合されて構成されている。具体的には、例えば、太陽光発電セル１１ａが数ｃｍ平方であり、太陽光発電アレイ１１が約３０ｃｍ平方である。太陽光発電パネル１が約１ｍ内外の平方又は長方形（約１ｍ×約１．５ｍ）である。
【００１２】
前記枠体２は、図７（Ａ）に示すように、両縦フレーム２１，２２と、両横フレーム２３，２４とで方形枠を形成するものである。また、図８（Ａ），（Ｂ）及び図９（Ａ），（Ｂ）に示すように、両縦フレーム２１，２２と、両横水下・水上フレーム２３，２４は、それぞれ内フレームと外フレームとで構成されている。縦フレーム２１と縦フレーム２２とは勝手反対に形成され、それぞれが縦内フレーム２１ａ，縦外フレーム２１ｂと、縦内フレーム２２ａ，縦外フレーム２２ｂにて構成されている。また、前記横水下フレーム２３と横水上フレーム２４は非対称に形成され、それぞれが横内フレーム２３ａ，横外フレーム２３ｂと、横内フレーム２４ａ，横外フレーム２４ｂにて構成されている。前記横水下フレーム２３と横水上フレーム２４とを総称して、単に「横フレーム」ということもある。
【００１３】
前記縦フレーム２１と縦フレーム２２とは左右勝手反対であるため、前記縦フレーム２１のみを図８（Ａ），（Ｂ）に基づいて説明する。該縦内フレーム２１ａはＬ字形部２１１の垂直片の上側に、前記太陽光発電パネル１の一辺を挿入支持するコ字状部２１２が設けられて構成されている。また、前記縦外フレーム２１ｂは、大型Ｌ字形部２１３の内側に前記縦内フレーム２１ａを抱きかかえるＬ形突出片２１４が設けられ、前記大型Ｌ字形部２１３の下部側に断面Ｕ字形の縦フレーム樋状部２１３ａが形成されている。
【００１４】
特に、前記縦内フレーム２１ａ，縦外フレーム２１ｂとはビスなどにて固着されている。縦外フレーム２１ｂの上端には、後述の縦ジョイナー材が載置固定される部位として、前記縦内フレーム２１ａの上端よりは僅かに低い頂部２１５が形成されている。前記縦フレーム２２は、前記縦フレーム２１と勝手反対のみであるため、縦内フレーム２１ａは、Ｌ字形部２１１とコ字状部２１２とで構成されている。前記縦外フレーム２１ｂは、縦フレーム樋状部２１３ａを有する大型Ｌ字形部２１３とＬ形突出片２１４と頂部２１５とから形成されている。
【００１５】
また、図９（Ａ），（Ｂ）に示すように、前記横水下フレーム２３と横水上フレーム２４とは左右非対称である。まず、前記横水下フレーム２３を説明する。該横水下フレーム２３の横内フレーム２３ａはＬ字形部２３１の垂直片の上側内方に、前記太陽光発電パネル１の一辺を挿入支持するコ字状部２３２が設けられている。また、前記横水下フレーム２３の横外フレーム２３ｂは、大型ト字形部２３３が形成されている。
【００１６】
該大型ト字形部２３３の垂直状部２３３ａの中間より外側に水平部２３３ｂが形成され、該水平部２３３ｂ外端より下方に外端垂下縁２３３ｃが設けられている。前記垂直状部２３３ａの下端より外方に水平端縁２３３ｄが形成されている。前記大型ト字形部２３３の上端にキャップの役割をなす上部カバー部２３４が形成されている。前記横外フレーム２３ｂの内側底部箇所には、前記横内フレーム２３ａを支える方形部２３５が設けられ、該方形部２３５の内側下部に内側Ｌ形部２３６が形成されている。
【００１７】
次に、前記横水上フレーム２４を説明する。該横水上フレーム２４の横内フレーム２４ａはＬ字形部２４１の垂直片の上側内方に、前記太陽光発電パネル１の一辺を挿入支持するコ字状部２４２が設けられている。前記横水上フレーム２４の横外フレーム２４ｂは、前記上部カバー部２３４の端部膨大部２３４ａを支持する前記大型Ｌ字形部２４３の上側の二重垂直状部２４３ａが形成されている。特に、大型Ｌ字形部２４３の下側の垂直状部２４３ｂの下端外側には、略Ｕ字状の横樋状部２４３ｃが屈曲形成され、さらに該横樋状部２４３ｃの外端には端部立上り片２４３ｄが形成されている。前記横外フレーム２４ｂの内側底部箇所には、前記横内フレーム２４ａを支える方形部２４５が設けられ、該方形部２４５の内側下部に内側Ｌ形部２４６が形成されている。このようにして太陽光発電ユニットＡは構成されている。電線等は適宜突出するように構成されているがここでは省略する。
【００１８】
３は横梁などの構造材である。該構造材３は、リップ溝形鋼，Ｈ形鋼或いはＩ形鋼等からなっており、必要に応じて断熱板等の下地材等が設けられている。４は、図１及び図２、図８（Ｄ）等に示すように、長手方向に長尺又は適宜の長さを有する金属製の縦樋材であって、平坦部４１１と立上り部４１２，４１２とからなる縦樋状部４１の略中央に取付突条部４２が形成され、さらに、前記縦樋状部４１の両外側にＬ型側部４３，４３が一体形成されている。前記立上り部４１２の先端より内方に上縁片４１２ａが屈曲形成されている。前記取付突条部４２は断面門形状をなし、上辺の中央に適宜の幅の開口した溝部４２１が全長に亘って形成されている。また、前記溝部４２１の下には、適宜な空隙４２２を有してこの下に支持板部４２３が設けられている。前記縦樋材４は実施形態では、アルミニウム製で押出形成されているが、金属製板材が折り曲げ形成される場合もある。
【００１９】
また、前記太陽光発電ユニットＡの縦フレーム２１，２２には、それぞれ縦フレーム樋状部２１３ａ，２２３ａが設けられ、該縦フレーム樋状部２１３ａ，２２３ａは、前記太陽光発電パネル１の外形の縦方向長さと同等長さに形成されている。さらに、縦フレーム樋状部２１３ａ，２２３ａの断面の一部は、前記縦樋材４の縦樋状部４１内に位置するように配置されている。５は固定具であって、螺子部５ａの下端に回転片５ｂの中央が固着され、前記螺子部５ａの中間にはナット５ｃ螺合されると共に、この下に断面門形状の押え片５ｄの上片が貫通されている。前記螺子部５ａの上端にはツマミ部５ｅが固着されている。前記固定具５にて前記太陽光発電ユニットＡの縦フレーム２１，２２が前記縦樋材４に固定される。図６に示すように、前記横水下フレーム２３の大型ト字形部２３３の水平部２３３ｂ外端の外端垂下縁２３３ｃが前記横水上フレーム２４の大型Ｌ字形部２４３の垂直状部２４３ｂに当接されている。また、図９(Ｃ)に示すように、前記横水下フレーム２３の大型ト字形部２３３の垂直状部２３３ａと、前記横水上フレーム２４の横樋状部２４３ｃ端の端部立上り片２４３ｄとの間隔を所定間隔Ｓとして構成されている。
【００２０】
このように構成されると、図４に示すように、傾斜角θとなった縦フレーム樋状部２１３ａ，２２３ａ内に流下した雨水、すなわち、図３（Ｂ）のＸ方向に隣接する隙間内に入り込む雨水は、前記縦樋状部４１内に流下するように構成されている。図３（Ｂ）のＹ方向に隣接する隙間内に入り込む雨水は、太陽光発電ユニットＡの横樋状部２４３ｃを介して前記縦樋材４の縦樋状部４１に流下して雨仕舞を良好にできる。
【００２１】
６はジョイナー材であって、それぞれ隣接する前記太陽光発電ユニットＡのＸ方向に隣接する隙間を塞ぐように設けられ、その間隔個所の雨仕舞を図る。図１，図４，図６及び図９（Ｄ）等に示すように、前記縦ジョイナー材６は、長手方向に長尺又は適宜の長さを有する合成樹脂製又は金属製であって、平坦状の主板６ａの両側寄りの下側に垂下片６ｂ，６ｂが形成され、幅中央箇所は、表面は同一面であるが裏側が薄材部６ｃとして形成され、裏面に伝わるような雨水が垂下片６ｂ下端より落下しやすいように構成されている。
【００２２】
その施工順序及び施工された太陽光発電装置について説明する。該太陽光発電装置は、図３（Ａ）に示すように、構造物の屋根として施工された例である。Ｙ方向を屋根の傾斜方向とし、Ｘ方向を屋根の棟方向とする。その傾斜角度をθとする。まず、構造材３のみから構成される場合であって、母屋などの構造材３が棟方向に平行に所定間隔をおいて併設される。そして、前記縦樋材４，４，…が、所定間隔（前記太陽光発電ユニットＡの横幅に相当間隔）をおいて並列状態にして縦樋用吊子８１及びボルト等の固着具８２を介して固着される。また、場合によっては、溶接手段にて固着されることもある。
【００２３】
次いで、太陽光発電ユニットＡが、図１及び図６（Ａ）に示すように、前記縦樋材４の水下側（図１において手前側）から水上側（図１において向こう側）に向かって順次取付られる。そのとき、太陽光発電ユニットＡの横水下フレーム２３と、隣接の太陽光発電ユニットＡの横水上フレーム２４とが図６（Ａ）に示す構成になるように取付施工される。さらに、図４に示すような隣接する太陽光発電ユニットＡ，Ａは、図５に示すように、固定具５を介して縦樋状材４の取付突条部４２に固定される。このようにして太陽光発電ユニットＡ多数が、図３（Ａ）及び（Ｂ）に示すＹ方向及びＸ方向に整然と取り付けられる。最後に、棟方向（棟方向：Ｘ方向）の太陽光発電ユニットＡ，Ａ間それぞれには、長尺のジョイナー材６が挿入されて固着される（図１及び図４参照）。また、必要に応じて、前記ジョイナー材６の周縁、前記上部カバー部２３４箇所には、水密性向上のために、何らかの充填剤を介在することもある。
【００２４】
さらに、図４に示すように、隣接する前記縦樋材４，４間のＬ形側部４３，４３間に、前記太陽光発電パネル１と同等大きさの透明又は半透明状の下部側採光板７１が板状枠７２を介して水密的に嵌合施工されることもある。また、前述した縦フレーム２１，２２、横水下・水上フレーム２３，２４の適所には、必要に応じて適宜水抜き孔ｐを形成することがある。さらに、前記太陽光発電ユニットＡの太陽光発電パネル１を透明又は半透明に構成すれば、屋根などの採光部として提供できる利点がある。        
【００２５】
図１０は、前記太陽光発電パネル１，１相互及び該太陽光発電パネル１の取付構造の第２実施形態である。この場合の前記縦樋材４の取付突条部４２の頂部裏面には、ナット５ｆが固着され、門型状の押え片５ｇを介してボルト５ｈにて固定される構成をなしている。さらに、図１０（Ａ）に示すように、前記ジョイナー材６の構成を換えることもある。ジョイナー材本体６ｄの幅方向片側に前記縦フレーム２１，２２の頂部２１５，２２５の何れか一方が入る挿入片６ｅが形成され、その間にクッション材６ｆが介在されて修められることがある。これらは取付のバリエーションとして存在する。
【００２６】
また、図１１は、前記太陽光発電パネル１，１相互及び該太陽光発電パネル１の取付構造の第３実施形態である。この場合の前記縦樋材４の取付突条部４２の頂部裏面には、ボルト頭を挿入しつつ回転不能にするボルト頭溝４２４が設けられ、該ボルト頭溝４２４にボルト５ｋのボルト頭５ｋ１が挿入され、そのボルト軸に、門型状の押え片５ｍを介してナット５ｎにて固定される構成をなしている。
【００２７】
図１２（Ａ）及び（Ｂ）は、図６（Ａ）とは別の実施形態であり、前記横水上フレーム２４の大型Ｌ字形部２４３の二重垂直状部２４３ａの上端箇所に、中央箇所のみとして厚みを薄くした薄肉部２４３ａ１として、ここにシール材９が門形状に被せられ、この上辺を押圧するようにして、前記上部カバー部２３４の膨大部２３４ａが取付けられることもある。また、前記図１２（Ｃ）は、さらに別の実施形態であり、前記大型Ｌ字形部２４３の二重垂直状部２４３ａの幅を少し厚みを薄くした厚肉垂直状部２４３ｅとして、前記シール材９が入るようにな切欠き２４３ｅ２が形成され、前記シール材９と同じ部材が挿入固定されることもある。
【符号の説明】
【００２８】
Ａ…太陽光発電ユニット、１１…太陽光発電アレイ、１１ａ…太陽光発電セル、
２…枠体、２１，２２…縦フレーム、２３…横水下フレーム、
２３３…大型ト字形部、２３３ｂ…水平部、２４…横水上フレーム、
２４３…大型Ｌ字形部、２４３ｃ…横樋状部、３…構造材、４…縦樋材、
４１…縦樋状部、４１１…平坦部、４１２…立上り部、４２…取付突条部。
【図１】
2011003810.tif 000003
【図２】
2011003810.tif 000004
【図３】
2011003810.tif 000005
【図４】
2011003810.tif 000006
【図５】
2011003810.tif 000007
【図６】
2011003810.tif 000008
【図７】
2011003810.tif 000009
【図８】
2011003810.tif 000010
【図９】
2011003810.tif 000011
【図１０】
2011003810.tif 000012
【図１１】
2011003810.tif 000013
【図１２】
2011003810.tif 000014